(57)【要約】【課題】機種の異なる複数の携帯電話機に対応して、一律にその接続端子へ接続させて、簡便に急速充電することができる携帯電話機用充電装置を提供する。【解決手段】ケース本体１内に充電用電池２と回路基板３と設け、この回路基板の一側部へ携帯電話機ｂの接続端子ｂ１へ接続する変換コネクタ４を取り付けて、回路基板は、充電用電池に接続させた複数の接触部を有するプラス極とマイナス極とからなる電池接点部材５を有し、変換コネクタは、框体７と、この框体内に設けた端子主体８，９，１０とを有し、端子主体は、一側部に電池接点部材におけるプラス極とマイナス極とに接触する第一プラス端子および第一マイナス端子と、該端子主体の他側部に、前記第一プラス端子および第一マイナス端子に延設させて携帯電話機の接続端子における充電用入力側接点部材のプラス極とマイナス極とに接触する第二プラス端子および第二マイナス端子とを設ける。【選択図】    図３
2005333760.tif 000002
【特許請求の範囲】
【請求項１】
機種の異なる複数の携帯電話機に対応して、それぞれの携帯電話機に内蔵された本体電池へ充填を行う携帯電話機用充電装置にあって、
ケース本体と、このケース本体内に設けた充電用電池と、前記ケース本体内に設けた回路基板と、この回路基板の一側部へ取り付けて前記携帯電話機の接続端子へ接続する変換コネクタとを備えさせ、
前記回路基板は、前記充電用電池に接続させた複数の接触部を有するプラス極とマイナス極とからなる電池接点部材を有し、
前記変換コネクタは、框体と、この框体内に設けた端子主体とを有し、
前記端子主体は、一側部に前記電池接点部材におけるプラス極とマイナス極とに接触する第一プラス端子および第一マイナス端子と、該端子主体の他側部に、前記第一プラス端子および第一マイナス端子に延設させて前記携帯電話機の接続端子における充電用入力側接点部材のプラス極とマイナス極とに接触する第二プラス端子および第二マイナス端子とを設けたことを特徴とする携帯電話機用充電装置。
【請求項２】
変換コネクタは、端子主体における第一プラス端子と第二プラス端子および第一マイナス端子と第二マイナス端子とを一体的に成形してあって、
前記端子主体を、框体内に取り付けた支持体へ刻設した取付溝へ嵌着させたことを特徴とする請求項１記載の携帯電話機用充電装置。
【請求項３】
変換コネクタは、ケース本体に設けた取付口へ、着脱自在に設けたことを特徴とする請求項１記載の携帯電話機用充電装置。
【発明の詳細な説明】
【技術分野】
【０００１】
本発明は、携帯電話器の内蔵電池の電池切れに際して、機種の異なる複数の携帯電話機に対応して、一律にその接続端子へ接続させて、簡便に急速充電することができる携帯電話機用充電装置に関する。
【背景技術】
【０００２】
従来、携帯電話機の使用にあって、屋外での突然の電池切れとなっても、直ちに前記携帯電話機に内蔵された本体電池へ急速充電して、その使用を可能とする携帯用の緊急充電器が知られている。
この携帯用充電器は、例えば、充電用の乾電池をケース内へ収納して、その一端部に前記携帯電話機の接続端子へ接続させるコネクタを設けてある。
【０００３】
また、携帯電話機は複数存在するメーカー（機種）毎、それぞれその接続端子の形状や該接続端子における電源入力用の接点の位置が異なるものである。
したがって、前記それぞれの接続端子に適合する前記コネクタおよび前記接点位置に対応する回路基板を設けた携帯用充電器、前記メーカー（機種）毎に用意しなければならなかった。
【０００４】
そのため、本発明者は、前記携帯用充電器のコネクタに差し換えすることで、前記複数存在するメーカー（機種）の携帯電話機に対応するように構成した変換コネクタを市場提供した（例えば、特許文献１参照。）。
【０００５】
【特許文献１】実用新案登録第３０８４２６３号公報
【０００６】
このものは、前記した不都合を解消することができるものの、前記携帯用充電器のコネクタへ外装する構成であるため、形状が大型化して使用にあって不都合を来すと共に、構造上の価格が高騰するため、十分な市場流通させることができないものであった。
【０００７】
特に、基本となる前記携帯用充電器は、前記複数存在するメーカー（機種）の携帯電話機の一つを選択して製作し、この携帯用充電器に取り付けて他のメーカー（機種）の携帯電話機に使用できる変換コネクタをも用意しなければならず、製作する品種が増加するため、必要なコストダウンが計れないものであった。
【発明の開示】
【発明が解決しようとする課題】
【０００８】
本発明は、前記した問題点を解決するためになされたもので、ケース本体内に充電用電池と回路基板と設け、この回路基板の一側部へ携帯電話機の接続端子へ接続する変換コネクタを取り付けて、回路基板は、充電用電池に接続させた複数の接触部を有するプラス極とマイナス極とからなる電池接点部材を有し、変換コネクタは、框体と、この框体内に設けた端子主体とを有し、端子主体は、一側部に電池接点部材におけるプラス極とマイナス極とに接触する第一プラス端子および第一マイナス端子と、該端子主体の他側部に、前記第一プラス端子および第一マイナス端子に延設させて携帯電話機の接続端子における充電用入力側接点部材のプラス極とマイナス極とに接触する第二プラス端子および第二マイナス端子とを設けたことにより、機種の異なる複数の携帯電話機に対応して、一律にその接続端子へ接続させて、簡便に急速充電することができる携帯電話機用充電装置を提供することを目的としている。
【課題を解決するための手段】
【０００９】
前記した目的を達成するための本発明の手段は、
機種の異なる複数の携帯電話機に対応して、それぞれの携帯電話機に内蔵された本体電池へ充填を行う携帯電話機用充電装置にあって、
ケース本体と、このケース本体内に設けた充電用電池と、前記ケース本体内に設けた回路基板と、この回路基板の一側部へ取り付けて前記携帯電話機の接続端子へ接続する変換コネクタとを備えさせ、
前記回路基板は、前記充電用電池に接続させた複数の接触部を有するプラス極とマイナス極とからなる電池接点部材を有し、
前記変換コネクタは、框体と、この框体内に設けた端子主体とを有し、
前記端子主体は、一側部に前記電池接点部材におけるプラス極とマイナス極とに接触する第一プラス端子および第一マイナス端子と、該端子主体の他側部に、前記第一プラス端子および第一マイナス端子に延設させて前記携帯電話機の接続端子における充電用入力側接点部材のプラス極とマイナス極とに接触する第二プラス端子および第二マイナス端子とを設けた携帯電話機用充電装置の構成にある。
【００１０】
変換コネクタは、端子主体における第一プラス端子と第二プラス端子および第一マイナス端子と第二マイナス端子とを一体的に成形してあって、
前記端子主体を、框体内に取り付けた支持体へ刻設した取付溝へ嵌着させる。
【００１１】
変換コネクタは、ケース本体に設けた取付口へ、着脱自在に設ける。
【発明の効果】
【００１２】
機種の異なる複数の携帯電話機に対応して、一律にその接続端子へ接続させて、簡便に急速充電することができ、装置全体の小型化が図れて使用感が向上すると共に、低コストで市場提供することができる。
【発明を実施するための最良の形態】
【００１３】
次に、本発明に関する携帯電話機用充電装置の一実施例を図面に基づいて説明する。
図１〜図３および図５においてＡは携帯電話機用充電装置で、機種の異なる複数の携帯電話機ｂ，ｂ…に対して、図２に示すように、該携帯電話機ｂに内蔵されたバッテリー等の本体電池（図示せず）へ、携帯電話機ｂの接続端子ｂ１を介して充電用電池２も電力の充填を行うもので、ケース本体１と、充電用電池２と、回路基板３と、変換コネクタ４とにより基本的に構成される。
【００１４】
前記した充電用電池２は、ケース本体１内に設けて、単３型や単４型の円筒形状等を有するアルカリ乾電池やマンガン乾電池などが用いられるもので、一本または複数本が収容されている。
【００１５】
前記した回路基板３は、ケース本体１内に設けてあって、充電用電池２に接続させて後記する端子主体８，９，１０との接触部を有するプラス極５ａとマイナス極５ｂとからなる電池接点部材５を有するもので、本実施例にあっては、３機種（Ｘ，Ｙ，Ｚ）の異なる複数の携帯電話機ｂ，ｂ，ｂに対応できるように、回路基板３上において、前記プラス極５ａとマイナス極５ｂである接触部を複数に分割配置すると共に、あるいは、その接触面積を一部増大して成形してある。この分割配置や接触面積の増大は、後記する変換コネクタ４における端子主体８の取付位置に相応して設計される。
また、それぞれの携帯電話機ｂ，ｂ，ｂの機種Ｘ，Ｙ，Ｚに対応して、電源のスイッチ信号を送受信する等の接点５ｃを回路基板３上において並設させてある。
なお、このプラス極５ａ，マイナス極５ｂおよび接点５ｃは、配線６ａ，６ｂ，６ｃにより充電用電池２へ接続してある。
【００１６】
前記した変換コネクタ４は、回路基板３の一側部（最外側）へ取り付けて、携帯電話機ｂの接続端子ｂ１へ接続するもので、框体７と、この框体７内の空洞部４ａに設けた端子主体８，９，１０とを有するもので、プラス端子８とマイナス端子９とスイッチ操作用端子１０との３端子と、これらプラス端子８とマイナス端子９とスイッチ操作用端子１０を嵌着させる支持体１１とからなる。
【００１７】
前記端子主体８，９，１０は、前記したそれぞれの携帯電話機ｂ，ｂ，ｂの機種Ｘ，Ｙ，Ｚに対応して、図７に示すように、３種類の配置パターンを有するもので、使用にあっては、これらの配置パターンによって変換コネクタ４がそれぞれ別に形成される。
【００１８】
そして、これら３パターンの機種Ｘ，Ｙ，Ｚに対応する基本的な変換コネクタ４の構成は、図５および図７（ａ）に示すように、まず機種Ｘ用の端子主体８，９の一側部に、電池接点部材５におけるプラス極５ａとマイナス５ｂ極とに接触する第一プラス端子Ｘ１ａおよび第一マイナス端子Ｘ１ｂと、該端子主体８，９の他側部に、第一プラス端子Ｘ１ａおよび第一マイナス端子Ｘ１ｂへ一体的に延設させて携帯電話機ｂの接続端子ｂ１における充電用入力側接点部材ｂ２のプラス極とマイナス極とに接触する第二プラス端子Ｘ２ａおよび第二マイナス端子Ｘ２ｂとを設けてある。更に、スイッチ操作用端子１０は、その一側部に、電池接点部材５における接点５ｃに接触する第一端子Ｘ１ｃと、該スイッチ操作用端子１０の他側部に、第一端子Ｘ１ｃに延設させて携帯電話機ｂの接続端子ｂ１における充電用入力側接点部材ｂ２のスイッチ操作用端子に接触する第二端子Ｘ２ｃとを設けてある。
【００１９】
同様に、機種Ｙ用の変換コネクタ４に使用する場合には、図６（ａ）および図７（ｂ）に示すように、端子主体８，９の一側部に、電池接点部材５におけるプラス極５ａとマイナス５ｂ極とに接触する第一プラス端子Ｙ１ａおよび第一マイナス端子Ｙ１ｂと、該端子主体８，９の他側部に、第一プラス端子Ｙ１ａおよび第一マイナス端子Ｙ１ｂへ一体的に延設させて携帯電話機ｂの接続端子ｂ１における充電用入力側接点部材ｂ２のプラス極とマイナス極とに接触する第二プラス端子Ｙ２ａおよび第二マイナス端子Ｙ２ｂとを設けてある。更に、スイッチ操作用端子１０は、その一側部に、電池接点部材５における接点５ｃに接触する第一端子Ｙ１ｃと、該スイッチ操作用端子１０の他側部に、第一端子Ｙ１ｃに延設させて携帯電話機ｂの接続端子ｂ１における充電用入力側接点部材ｂ２のスイッチ操作用端子に接触する第二端子Ｙ２ｃとを設けてある。
【００２０】
更に同様に、機種Ｚ用の変換コネクタ４に使用する場合には、図６（ｂ）および図７（ｃ）に示すように、端子主体８，９の一側部に、電池接点部材５におけるプラス極５ａとマイナス５ｂ極とに接触する第一プラス端子Ｚ１ａおよび第一マイナス端子Ｚ１ｂと、該端子主体８，９の他側部に、第一プラス端子Ｚ１ａおよび第一マイナス端子Ｚ１ｂへ一体的に延設させて携帯電話機ｂの接続端子ｂ１における充電用入力側接点部材ｂ２のプラス極とマイナス極とに接触する第二プラス端子Ｚ２ａおよび第二マイナス端子Ｚ２ｂとを設けてある。更に、スイッチ操作用端子１０は、その一側部に、電池接点部材５における接点５ｃに接触する第一端子Ｚ１ｃと、該スイッチ操作用端子１０の他側部に、第一端子Ｚ１ｃに延設させて携帯電話機ｂの接続端子ｂ１における充電用入力側接点部材ｂ２のスイッチ操作用端子に接触する第二端子Ｚ２ｃとを設けてある。
【００２１】
更に、この変換コネクタ４における端子主体８，９，１０は、框体７内に取り付けた支持体１１へ刻設した取付溝１２へ嵌着させることで固定されるものである。
すなわち、端子主体８，９，１０は、図９に示すように、一体的に形成されていて、これら端子主体８，９，１０の幅方向が対応するように、３条の取付溝１２，１２，１２が、携帯電話機ｂ，ｂ，ｂの機種Ｘ，Ｙ，Ｚの配置パターンに応じて設けられている。
【００２２】
この取付溝１２へその上部から嵌着させることで、図１０に示すように、プラス端子８とマイナス端子９とスイッチ操作用端子１０とがセット状態となった端子体１３が形成される。
この端子体１３の形成にあっては、機械的に自動組立が行われるため、わずかな誤動作で破損しやすいプラス端子８，マイナス端子９，スイッチ操作用端子１０の組み立てが簡単かつ確実に行うことができ、しかも、従来のように、はんだ付け等の面倒な作業が一切不要となるので作業性が大幅に向上すると共に、コストダウンが計れる。
【００２３】
なお、この変換コネクタ４は、ケース本体１に設けた取付口（図１１参照）１４へ、着脱自在に設けることで、ケース本体１と充電用電池２と回路基板３との本体部材１５を携帯電話機ｂ，ｂ，ｂの機種Ｘ，Ｙ，Ｚに対して兼用使用することができる。すなわち、異なる機種Ｘ，Ｙ，Ｚ用の変換コネクタ４を付け替えすることができるものである。
【００２４】
なお、図示してないが、框体７内に取り付けた支持体１１へ刻設した取付溝１２は、間隔的に多数条設けることができるもので、機種Ｘ，Ｙ，Ｚの異なる複数の携帯電話機ｂにおける接続端子ｂ１の充電用入力側接点部材ｂ２の取付位置に対応させて、前記した数条の取付溝１２，１２…へ端子主体８，９，１０を選択的に嵌着させることで、一種類の支持体１１を兼用使用することができる。
また、框体７における一側部は、図７等に示すように、複数の携帯電話機ｂにおける機種Ｘ，Ｙ，Ｚごとに、その接続端子ｂ部の形状に見合う接続部１６ｘ，１６ｙ，１６ｚに形成しておく。
【００２５】
したがって、前述のように構成される本発明実施例の携帯電話機用充電装置Ａは、あらかじめ、たとえば、機種Ｘ，Ｙ，Ｚ（３種類）の異なる複数の携帯電話機ｂの接続端子ｂに対応するように、図７に示すように、３種類の変換コネクタ４，４，４を製造しておく。
【００２６】
また、本体部材１５側においては、前記３種類の変換コネクタ４，４，４における端子主体８，９，１０の第一プラス端子Ｘ１ａ，Ｙ１ａ，Ｚ１ａおよび第一マイナス端子Ｘ１ｂ，Ｙ１ｂ，Ｚ１ｂ並びに端子Ｘ１ｃのいずれにも対応するプラス極５ａおよびマイナス５ｂ極並びに接点５ｃを、図５，図５等に示すように、回路基板３に形成しておく。
【００２７】
こうして形成された本体部材１５に対して、機種がＣＤＭＡ（商品名）の場合には、図７（ａ）に示す構成の変換コネクタ４を選択して、図１１に示すように、ケース本体１の取付口１４へ接続部１６ｘが外側部に位置するようにその框体７を挿入する。
すると、この変換コネクタ４は、図１に示すように、該框体７が取付口１４に嵌り込むと共に、内部の端子主体８，９，１０の第一プラス端子Ｘ１ａ，第一マイナス端子Ｘ１ｂ，スイッチ操作用端子Ｘ１ｃが回路基板３におけるプラス極５ａおよびマイナス５ｂ極並びに接点５ｃへ、図３に示すように、係合して確実に接触する。
【００２８】
そのため、ケース本体１内の充填用電池２の電流が、端子主体８，９，１０における第二プラス端子Ｘ２ａ，第二マイナス端子Ｘ２ｂ，スイッチ操作用端子Ｘ２ｃより流れる準備ができる。
【００２９】
この状態で、ＣＤＭＡ（商品名）Ｘ用の携帯電話機ｂの接続端子ｂ１へ差し込むと、該接続端子ｂ１の充電用入力側接点部材ｂ２，ｂ２，ｂ２に端子主体８，９，１０における第二プラス端子Ｘ２ａ，第二マイナス端子Ｘ２ｂ，スイッチ操作用端子Ｘ２ｃが接続されて通電状態となるので、ケース本体１の充填用電池２の電流が携帯電話機ｂの本体電池に流れて所定電圧の充電がなされる。
【００３０】
また、機種がＰＤＣタイプＹの場合には、図７（ｂ）に示す構成の変換コネクタ４を選択し、更に、機種がＦＯＭＡ（商品名）Ｚタイプの場合には、図７（ｃ）に示す構成の変換コネクタ４をそれぞれ選択し、図１１に示すように、ケース本体１の取付口１４へ接続部１６ｙ，１６ｚが外側部に位置するようにその框体７を挿入すれば、前記ＣＤＭＡ（商品名）Ｘ用の携帯電話機ｂと同様に充填用電池２により本体電池へ充電することができる。
【００３１】
これら変換コネクタ４の着脱に際しては、第一プラス端子，第一マイナス端子，スイッチ操作用端子の回路基板３への挿嵌および挿嵌解除によって行われる、いわゆる、変換コネクタ４の取付口１４への該取付口１４を案内とした押し込みと引き抜きによって行われる簡単な操作であるため、操作性に優れると共に、誤操作が全く生じない。
【００３２】
また、ケース本体１と充電用電池２，回路基板３からなる本体部材１５は、３種類の変換コネクタ４，４，４の付け替え使用にあっていずれも共通できる兼用使用する１種類を用意しておけばよいので、各機種Ｘ，Ｙ，Ｚごとに製造しなくとも良いものである。
更に、変換コネクタ４，４，４も単に、支持体１１への端子主体８，９，１０の取付位置を変更するだけの簡単な構造なため、できるだけ小型で簡単に製作でき、大幅なコストダウンを図ることができる。
【００３３】
特に、両端子（接点）を有する一体状の端子主体８，９，１０を支持体１１の取付溝１２へ嵌着する簡単な操作で行えるため、デリケートな端子主体８，９，１０の組み立てを可能にして、変換コネクタ４の製作を容易化させることができる。
【図面の簡単な説明】
【００３４】
【図１】本発明に関する携帯電話機用充電装置の一実施例を示す斜視図である。
【図２】図１における携帯電話機用充電装置の携帯電話機への充電状態を示す斜視図である。
【図３】図１における携帯電話機用充電装置を示す縦断側面図である。
【図４】図１における携帯電話機用充電装置の回路基板の要部を示す斜視図である。
【図５】図１における携帯電話機用充電装置において携帯電話機機種Ｘ用の変換コネクタの概要を示す説明図である。
【図６】図１における携帯電話機用充電装置において他の携帯電話機機種の変換コネクタの概要を示す説明図で、（ａ）は機種Ｙ用を、（ｂ）は機種Ｚ用を示す。
【図７】図１における携帯電話機用充電装置において使用する各変換コネクタの概要を示す説明図で、（ａ）は機種Ｘ用を、（ｂ）は機種Ｙ用を、（ｃ）は機種Ｚ用をそれぞれ示す。
【図８】図１における携帯電話機用充電装置において使用する変換コネクタの縦断側面図である。
【図９】図１における携帯電話機用充電装置において使用する変換コネクタの端子本体を挿嵌する状態を示す斜視図である。
【図１０】図１における携帯電話機用充電装置において使用する変換コネクタのセット化された端子本体を框体へ挿嵌する状態を示す斜視図である。
【図１１】図１における携帯電話機用充電装置において使用する変換コネクタを本体部材へ挿嵌する状態を示す斜視図である。
【符号の説明】
【００３５】
Ａ…携帯電話機用充電装置．ｂ…携帯電話機．ｂ１…接続端子．Ｘ，Ｙ，Ｚ…機種．１…ケース本体．２…充電用電池．３…回路基板．４…変換コネクタ．５…プラス極５ａとマイナス極５ｂとからなる電池接点部材．７…框体．８，９，１０…端子主体．１１…支持体．１２…取付溝．１４…取付口．
【図１】
2005333760.tif 000003
【図２】
2005333760.tif 000004
【図３】
2005333760.tif 000005
【図４】
2005333760.tif 000006
【図５】
2005333760.tif 000007
【図６】
2005333760.tif 000008
【図７】
2005333760.tif 000009
【図８】
2005333760.tif 000010
【図９】
2005333760.tif 000011
【図１０】
2005333760.tif 000012
【図１１】
2005333760.tif 000013